(57)【特許請求の範囲】
【請求項１】
受信した画像データを順次回覧送信してゆくようにしたファクシミリ装置において、
他のファクシミリ装置から送られてくるエラーライン数を記憶する記憶手段と、
受信した画像データのエラーラインを検出する検出手段と、
前記検出手段により検出されたエラーライン数をカウントするカウント手段と、
許容できるエラーライン数を記憶する規定値記憶手段と、
前記他のファクシミリ装置から送られてくるエラーライン数と前記カウント手段がカウントしたエラーライン数の合計が、規定値を越えた際に通信エラーと判断し、回覧元のファクシミリ装置にエラーを通知するエラー通知手段を有することを特徴とするファクシミリ装置。
【請求項２】
前記エラー通知手段が、回覧元のファクシミリ装置に対し、元の画像データの送信を要求する手段であることを特徴とする請求項１に記載のファクシミリ装置。
【請求項３】
前記元の画像データの送信要求する場合において、ポーリングにより、送信要求を行うことを特徴とする請求項２に記載のファクシミリ装置。
【請求項４】
前記元の画像データの送信要求により、画像データを受信した場合において、正常に受信した場合は、本来の回覧ルートへ戻り、回覧送信を再開することを特徴とする請求項１ないし請求項３のいずれか１項に記載のファクシミリ装置。
【請求項５】
他のファクシミリ装置から受信した画像データを順次次のファクシミリ装置へ回覧送信してゆくようにしたファクシミリ通信方法において、ファクシミリ装置が、他のファクシミリ装置から送られてくるエラーライン数を記憶する記憶手段と、受信した画像データのエラーラインを検出する検出手段と、前記検出手段により検出されたエラーライン数をカウントするカウント手段と、許容できるエラーライン数を記憶する規定値記憶手段と、前記他のファクシミリ装置から送られてくるエラーライン数と前記カウント手段がカウントしたエラーライン数の合計が、規定値を越えた際に通信エラーと判断し、回覧元のファクシミリ装置にエラーを通知するエラー通知手段を有し、
通信エラーと判断すると、回覧元のファクシミリ装置に対し元の画像データの送信を要求し、
前記元の画像データの送信要求により、画像データを受信した場合において、正常に受信した場合は、本来の回覧ルートへ戻り、回覧送信を再開することを特徴とするファクシミリ通信方法。
【発明の詳細な説明】
【０００１】
【発明の属する技術分野】
本発明は、受信した画像データをチェーン式に順次次の回覧先へ送信してゆくようにした、いわゆる回覧ファクシミリを実現するファクシミリ通信方法およびファクシミリ装置に関する。
【０００２】
【従来の技術】
従来、受信した画像データをチェーン式に順次次の回覧先へ送信してゆく回覧ファクシミリとしての基本的な機能は、典型的な従来技術である特開平６−７８１２５号公報の構成によって実現することができる。しかしながら、この従来技術では、回覧先リストにしたがって順次画像データが転送され、また回覧結果もその画像データに添付して送信されるので、多数の回覧先がある場合には、通信データが肥大するという問題がある。また、回覧先の選択が不自由であったり、通信障害等による停滞等の問題もある。
【０００３】
そこで、このような問題を解決するための他の従来技術として、特開平１０−２１５３６３号公報に示す技術が挙げられている。この従来技術では、多数の回覧先を複数のグループに区分し、各グループ内で代表となる回覧先を代理の回覧元に設定し、親元となる回覧元からこれら各代理の回覧元で予め親回覧ルートを形成し、また前記代理の回覧元からグループ内の各回覧先で予め子回覧ルートを形成し、各子回覧ルートで並列に回覧送信してゆくように構成されている。
【０００４】
これによって、たとえば本部、本庁、本社等が前記親元の回覧元となり、地域本部、地域本庁、地域本社等が前記代理の回覧元となり、末端の支部、支庁、支社等が前記回覧先となる。したがって、前記親元となる回覧元は、任意の代理の回覧元を通して、各子回覧ルートへ選択的に画像データを回覧送信することができるとともに、通信障害による影響も小さく抑えられ、速やかに回覧送信が終了するようになっている。また、後述するように、各回覧先で予め指定されたメモリボックスを指定することで、そのメモリボックスに指定された次の回覧先へ自動的に画像データが回覧送信されるので、回覧される通信データに総ての回覧先のリストを揃える必要がなく、該通信データが肥大化しないようにもなっている。
【０００５】
しかしながら、上述の従来技術では、いったん親元からデータが送信されると、それ以降の回覧はその画像を各回覧先で転送していくということとなり、転送されるにつれて画像は通信回線上の送信によるノイズにより劣化がどんどん増していくという問題がある。
【０００６】
【発明が解決しようとする課題】
本発明の目的は、劣化の少ない画像の回覧を最後まで可能とすることができるファクシミリ装置を提供することである。
【０００７】
【課題を解決するための手段】
本発明は、受信した画像データを順次回覧送信してゆくようにしたファクシミリ装置において、他のファクシミリ装置から送られてくるエラーライン数を記憶する記憶手段と、受信した画像データのエラーラインを検出する検出手段と、前記検出手段により検出されたエラーライン数をカウントするカウント手段と、許容できるエラーライン数を記憶する規定値記憶手段と、前記他のファクシミリ装置から送られてくるエラーライン数と前記カウント手段がカウントしたエラーライン数の合計が、規定値を越えた際に通信エラーと判断し、回覧元のファクシミリ装置にエラーを通知するエラー通知手段を有することを特徴とする。
【０００８】
本発明は、上記ファクシミリ装置において、前記エラー通知手段が、回覧元のファクシミリ装置に対し、元の画像データの送信を要求する手段であることを特徴とする。
【０００９】
さらに、本発明は、上記ファクシミリ装置において、前記元の画像データの送信要求する場合において、ポーリングにより、送信要求を行うことを特徴とする。
【００１０】
本発明は、上記ファクシミリ装置において、前記元の画像データの送信要求により、画像データを受信した場合において、正常に受信した場合は、本来の回覧ルートへ戻り、回覧送信を再開することを特徴とする。
【００１１】
本発明は、他のファクシミリ装置から受信した画像データを順次次のファクシミリ装置へ回覧送信してゆくようにしたファクシミリ通信方法において、ファクシミリ装置が、他のファクシミリ装置から送られてくるエラーライン数を記憶する記憶手段と、受信した画像データのエラーラインを検出する検出手段と、前記検出手段により検出されたエラーライン数をカウントするカウント手段と、許容できるエラーライン数を記憶する規定値記憶手段と、前記他のファクシミリ装置から送られてくるエラーライン数と前記カウント手段がカウントしたエラーライン数の合計が、規定値を越えた際に通信エラーと判断し、回覧元のファクシミリ装置にエラーを通知するエラー通知手段を有し、通信エラーと判断すると、回覧元のファクシミリ装置に対し元の画像データの送信を要求し、前記元の画像データの送信要求により、画像データを受信した場合において、正常に受信した場合は、本来の回覧ルートへ戻り、回覧送信を再開することを特徴とする。
【００１２】
【発明の実施の形態】
以下、本発明の実施の形態について図１を用いて説明する。
【００１３】
図１は、本発明の実施の形態にかかるファクシミリ装置の電気的構成を示すブロック図である。このファクシミリ装置１は、スキャナ１０と、印字部１１と、操作表示部１２と、画像メモリ１３と、パラメータメモリ１４と、符号化復号化部（ＤＣＲ）１５と、ＦＡＸモデム１６と、網制御装置（ＮＣＵ）１７と、制御部１８と、システムメモリ１９とを有して構成され、それぞれの部分はシステムバス２０を介して接続される。
【００１４】
スキャナ１０は、特定の解像度で原稿画像を読み取り、画像データを得る手段である。
【００１５】
印字部１１は、他のファクシミリ装置から受信した画像データなどの画像データを特定の解像度で印字出力する手段である。
【００１６】
操作表示部１２は、各種の操作キーおよび表示器からなり、制御部１８の制御処理を指示する入力操作を行う手段である。また、この操作表示部１２から、ファクシミリ送受信に必要な各種の設定やデータの入力が行われる。
【００１７】
画像メモリ１３は、スキャナ１０で読み取った画像データや他のファクシミリ装置から受信した画像データを多数記憶する手段である。画像メモリに記憶される画像データは、スキャナ１０で読み取った画像データあるいは該画像データを符号化復号化部１５で圧縮した圧縮符号化画像データ、もしくは他のファクシミリ装置から受信した圧縮符号化画像データもしくは該圧縮符号化画像データを符号化復号化部１５で復号した復号化画像データでよい。
【００１８】
パラメータメモリ１４は、本発明の回覧ファクシミリに必要な各種パラメータを記憶する手段であり、回覧情報記憶部１４１と、受信したエラーライン数情報と受信した画像で検出したエラーライン数を累積記憶する累積エラーライン数記憶部１４２と、予め設定される許容できるエラーライン数（規定値）を記憶する規定値記憶部１４３を有している。
【００１９】
符号化復号化部（ＤＣＲ）１５は、スキャナ１０で読み取った画像データを圧縮復号化する手段であり、他のファクシミリ装置から受信した圧縮符号化画像データを復号化画像データに戻す手段である。
【００２０】
ＦＡＸモデム１６は、回覧ファクシミリのモデム機能を実現する手段であり、伝送手順信号をやり取りするための低速モデム機能および、おもに画像データをやり取りするための高速モデム機能を備えて構成されている。
【００２１】
網制御装置（ＮＣＵ）１７は、ファクシミリ装置１を公衆電話回線網に接続するための手段であり、自動発着機能を備えている。
【００２２】
制御部１８は、ファクシミリ装置全体の動作を制御する手段であり、特に、受信した画像データのエラーラインを検出するエラーライン検出部１８１と、検出したエラーライン数をカウントするエラーライン数カウント部１８２と、累積エラーライン数記憶部１４１に記憶された累積エラーライン数と、規定値記憶部１４３記憶された規定値とを比較するエラーライン数比較部１８３と、累積エラーライン数が規定値を上回ったときに、回覧元のファクシミリ装置にエラー通知を出力するエラー通知手段１８４とを有している。
【００２３】
システムメモリ１９は、各部の制御処理、および後述するような回覧転送機能を含むファクシミリ伝送制御処理の手順などが格納される手段である。システムメモリ１９には、また、前記の制御処理のためのプログラムとともに、そのプログラムを実行するときに必要な各種のデータなどが記憶されており、また制御部１８のワークエリアを構成する。
【００２４】
このファクシミリ装置１は、通信機能として、たとえばグループ３（ＧＩＩＩ）の通信機能を有する。スキャナ１０において特定の解像度で原稿画像を読み取り、得られた画像データは、直接または必要に応じて画像メモリ１３を介して符号化復号化部１５に与えられ、圧縮とともに符号化されてＦＡＸモデム１６に入力される。画像メモリ１３により多量の画像データを格納するには、読み取った画像データは圧縮符号化処理を施して画像メモリ１３に格納することが好ましい。
【００２５】
網制御装置１７によって送信相手先との回線が確立されると、圧縮符号化された画像データは、ＦＡＸモデム１６及び該網制御装置１７を介して回線へ送信される。
【００２６】
これに対して、回線から受信した画像データは、網制御装置１７からＦＡＸモデム１６に入力され、符号化復号化部１５で前記圧縮符号化されている状態から復号化されるとともに、復号化の時に網制御装置１７により受信した画像データについて、制御部１８においてエラーチェック及びエラーライン数のカウントが行われる。また、受信画像データは、必要に応じて画像メモリ１３を介して印字部１１に与えられ、所定の解像度で印字出力される。
【００２７】
制御部１８による制御処理は、各種の操作キーおよび表示器からなる操作表示部１２への入力操作に応答して行われ、また、この操作表示部１２から、ファクシミリ送受信に必要な各種の設定やデータの入力が行われる。こうして入力された設定値やデータはパラメータメモリ１４に記憶される。先述の累積エラーライン数もここに格納される。パラメータメモリ１４にはまた、前記回覧ファクシミリ装置１に固有な各種の情報が記憶されるとともに、後述する回覧ルートに関する設定値やデータ等の回覧転送モードの設定内容を記憶する回覧情報記憶部１４１を有している。
【００２８】
前記の各部は、システムバスにそれぞれ接続されており、これらの各部間でのデータのやり取りは、主としてこのシステムバス２０を介して行われている。
【００２９】
図２のシステム構成図を用いて、本発明の回覧ファクシミリ機能を実現する通信方法を説明する。本発明の回覧ファクシミリシステムでは、多数のファクシミリ装置１Ａ〜１Ｄがあり、ファクシミリ装置１Ａが回覧元に設定され、ファクシミリ装置１Ｂ，１Ｃ，１Ｄによって回覧ルートＲが形成されている。
【００３０】
回覧元のファクシミリ装置１Ａは、回覧ルートＲで次の回覧先であるファクシミリ装置１Ｂに画像を送信する手順をとる。このとき、ファクシミリ装置１Ａは、先ずファクシミリ装置１Ｂに対してエラーライン数を初期値０として送信し、それに続いて画像データを送信する。
【００３１】
ファクシミリ装置１Ｂは、送られてきた画像データのエラーライン数を累積エラーライン数記憶部１４２に記憶しておき、続いて送られてくる画像データを受信する。それに引き続き、ファクシミリ装置１Ｂは、受け取った画像データを復号化するにあたって、エラーライン検出部１８１でエラーチェックを行い、エラーが生じたときには、エラーライン数カウント手段１８２において、生じたエラーライン数をカウント（ＡＢ）して、先に送られてきた累積エラーライン数記憶部１４２に格納されたエラーライン数に加算して記憶する（０＋ＡＢ）。全ての画像データの復号化処理が終了すると、エラーライン数比較手段１８３において、累積エラーライン数記憶部１４２に記憶された現在の累積エラーライン数（０＋ＡＢ）と、予め設定された規定値とを比べることにより、画像データが劣化しているかどうかを判定する。
【００３２】
累積エラーライン数が規定値より小さければ画質はそれほど劣化していないとみなして印字処理に入り印字終了となった時点で受信処理は終了となる、続いて回覧ファクシミリ送信処理へと入り、先述のファクシミリ装置１Ａと同様に、ファクシミリ装置１Ｃに対して現在の累積エラーライン数（０＋ＡＢ＝Ｂ）を送信した後、画像データの送信処理へと入る。
【００３３】
各回覧先のファクシミリ装置１Ｃでは、先述のファクシミリ装置１Ｂと同様の処理を行い、受け取った画像データを復号化するにあたって、エラーライン検出部１８１でエラーチェックを行い、エラーが生じたときには、エラーライン数カウント手段１８２において、生じたエラーライン数をカウント（ＢＣ）して、先に送られてきた累積エラーライン数記憶部１４２に格納されたエラーライン数（Ｂ）に加算して記憶する（Ｂ＋ＢＣ）。ここでファクシミリ装置１Ｃがファクシミリ装置１Ｂから画像データを受け取った際に、現在の累積エラーライン数（Ｂ＋ＢＣ）が規定値よりも大きかったとする。その際にはファクシミリ装置１Ｃは受信エラーと判断する。そして、ファクシミリ装置１Ｃは、ファクシミリ装置１Ｂに画像データの再送を依頼することなく、一時回覧ルートＲを離れて、回覧元ファクシミリ装置１Ａに対しポーリングを行うことで、画像データの送信を要求する（Ｐｒ）。ファクシミリ装置１Ａは、ポーリング要求されるとファクシミリ装置１Ｃに対してエラーカウント数の初期値０に続けて元の画像データを送信する（Ｐｓ）。劣化の少ない画像データを回覧元から受け取ったファクシミリ装置１Ｃは、ファクシミリ装置１Ａから送信された画像データに対してエラーライン数をカウント（ＡＣ）して画像のデータの適正性を判断し適性であるときには、印字処理に入り印字終了となった時点で受信処理は終了となる。続いて、元のルートＲに戻って、回覧ファクシミリ送信処理へと入り、先述のファクシミリ装置１Ｂと同様に、ファクシミリ装置１Ｄに対して現在の累積エラーライン数（０＋ＡＣ）を送信した後、画像データの送信処理へと入る。
【００３４】
以下同様に、累積エラーライン数が規定値を超えると受信側ファクシミリ装置は回覧元ファクシミリ装置１Ａに対して新たな画像データの送信を要求し、劣化の少ない画像データを受け取り次段に回覧することができる。
【００３５】
図３の手順図を用いて、回覧ファクシミリおよびポーリングの送信手順を説明する。この例は、通信機械工業会のファクシミリ部会によって纏められた回覧ファクシミリの使用を含むＦコード使用に基づくものである。
【００３６】
［回覧ファクシミリ送信の手順］
送信側ファクシミリ装置１Ａからのコーリングトーン（Ｃａｌｌ）を受信した受信側ファクシミリ装置１Ｂは、ＮＳＦ（非標準機能信号）、ＣＳＩ（発呼端末識別信号）およびＤＩＳ（ディジタル識別信号）をファクシミリ装置１Ａに対して送出する。
【００３７】
ここで、送信側ファクシミリ装置１Ａは、ＤＩＳ内から、受信側ファクシミリ装置１Ｂにサブアドレス能力およびパスワード能力ありの設定を検出すると、それに応答して、ＳＵＢ（サブアドレス信号）、ＴＳＩ（送信端末識別信号）、ＤＣＳ（ディジタル命令信号）とを送出して、後述するように受信側のメモリボックスを指定している。さらに、送信側ファクシミリ装置１Ａは、ＴＣＦ（トレーニングチェック信号）を送信する。
【００３８】
受信側ファクシミリ装置１Ｂは、ＴＣＦを受信すると、ＣＦＲ（受信準備確認信号）を返信して、画像データ（ＰＩＸ）の受信を開始する。そして、ＥＯＰ（手順終了信号）を受信して、総ての画像データを受信したことを確認すると、ＭＣＦ（メッセージ確認信号）を返信し、ＤＣＮ（切断命令信号）を受けて、通信を終了する。
【００３９】
前記Ｆコード使用では、回覧ファクシミリ機能の他にも、親展機能や掲示板機能等を実現するために、前記ＳＩＤ（パスワード信号）とＳＵＢ（サブアドレス信号）とによって指定されるメモリボックスが設定される。前記サブアドレスは、各メモリボックスに対して予め１対１に設定され、データの格納、参照、取り出し等のために各メモリボックスをアクセスするために用いられ、前記パスワード信号は、各メモリボックスに対して予め設定され、メモリボックスへのアクセスを制限するために用いられている。
【００４０】
すなわち、ＳＵＢ（サブアドレス信号）によってメモリボックスが指定されるけれども、同時に送信されてきたＳＩＤ（パスワード信号）が、予め設定されたパスワードと一致しなければ、指定されたメモリボックスへのアクセスは禁止される。なお、パスワードは１つのメモリボックスに対して複数設定することもできるので、このような設定のときは、いずれかのパスワードが送信されてくれば、メモリボックスへのアクセスは許可される。また、パスワードがない送信があったり、どのようなパスワードが送信されてきた場合でも、メモリボックスへのアクセスは許可される。
【００４１】
上記サブアドレスを用いた回覧送信では、画像データを送信したメモリボックスが、そのメモリボックスに予め指定されている電話番号でサブアドレスのメモリボックスへ順次画像データを転送してゆくことで、相互に異なる回覧ルートを設定することができる。
【００４２】
［ポーリング送信］
送信側ファクシミリ装置１Ｃからのコーリングトーン（Ｃａｌｌ）を受信した受信側ファクシミリ装置１ＡはＮＳＦ（非標準機能信号）、ＣＳＩ（発呼端末識別信号）および「受信側に選択ポーリング能力あり」が設定されたＤＩＳ（ディジタル識別信号）を送出する。
【００４３】
ここで、送信側ファクシミリ装置１Ｃは、ＤＩＳ内から、受信側ファクシミリ装置１Ａに選択ポーリング能力ありの設定を検出すると、ＰＷＤ、ＳＥＰ（選択ポーリング信号）、ＣＩＧ（発呼端末識別信号）、ＤＴＣ（ディジタル送信命令信号）を送信する。ここで、ＳＥＰで指定された箱が掲示板の場合に、その箱に登録されている原稿をポーリング送信する。一致する箱が存在しない場合には、エラーとするか、別のアプリケーションとして処理することができる。
【００４４】
受信側ファクシミリ装置１Ａは、先ず、ＴＳＩ（送信端末識別信号）、ＤＣＳ（ディジタル命令信号）を送信し、続けてＴＣＦ（トレーニングチェック信号）を送信する。
【００４５】
送信側ファクシミリ装置１Ｃは、ＣＦＲ（受信準備確認信号）を返信して、画像データ（ＰＩＸ）の受信を開始する。そして、ＥＯＰ（手順終了信号）を受信して、総ての画像データを受信したことを確認すると、ＭＣＦ（メッセージ確認信号）を受信側に対して返信し、ＤＣＮ（切断命令信号）を受けて、通信を終了する。
【００４６】
図４を用いて、受信の際の画像データの流れを説明する。
【００４７】
受信部（網制御相当１７、ＦＡＸモデム１６）で受信された圧縮符号化画像データは、制御部（ＣＰＵ）１８によって制御される符号化復号化部（ＤＣＲ）１５において、復号化される。この時、復号に失敗した画像データのライン数が、エラーライン数としてパラメータメモリ１４の累積エラーライン数記憶部１４２に記憶される。無事復号化された画像データは、画像メモリ１３に記憶され、必要に応じて印字部１１に与えられ、所定の解像度で印字出力される。
【００４８】
図５のフローチャートを用いて、本発明によるファクシミリ装置１の受信に関する一連の流れを説明する。
【００４９】
受信機ではファクシミリ通信を開始すると（Ｓ１）、先ず、回覧送信なのかどうかを判断し（Ｓ２）、回覧送信でなければ通常受信処理へと移行し、受信を開始する（Ｓ１２）。回覧送信ならば回覧受信処理へと進み、受信を開始する（Ｓ３）。
【００５０】
回覧受信処理は、先ず送信機から送られる累積エラーライン数の受信を行う。受信した累積エラーライン数は、先述の通りパラメータメモリ１４の累積エラーライン数記憶部１４２に格納される（Ｓ４）。続いて画像データの受信を行う（Ｓ５）。送られてくる画像データは、圧縮符号化されているので、先述の通り符号化復号化部（ＤＣＲ）１５にて復号化し、画像メモリ１３に格納されると共に、制御部１８は、受信した画像データの復号化に失敗した行をチェックし（Ｓ６）、復号化に失敗した行の数をカウントし、エラーライン数としてパラメータメモリ１４の累積エラーライン数記憶部１４２にすでに格納されている累積エラーライン数に加えてそのまま格納する（Ｓ７）。画像データは何行かづつ受信されるので、総ての画像データを受信したかを確認して（Ｓ８）、もしまだ残っていればステップＳ５へと戻る。
【００５１】
総てのデータを受信し、データ受信が終了すれば、制御部１８のエラーライン数比較部１８２は、パラメータメモリ１４の累積エラーライン数記憶部１４２に格納されている累積エラーライン数が予め設定された規定値記憶部１４３に格納されている規定値と比べて（Ｓ９）、規定値よりも小さければ、画質はさほど劣化していないとみなし、印字処理に入り、印字終了した時点で受信処理は終了となる（Ｓ１０）。もし規定値よりも累積エラーライン数が大きければ、画質は劣化したとみなされ、回覧元から元の画像データを取り寄せるため、ポーリング要求する再送要求信号をパラメータメモリ１４に記憶する（Ｓ１１）。そして印字は行わずにそのまま受信処理の終了となる。
【００５２】
一方、ステップＳ２にて通常受信処理へと進んだ場合（Ｓ１２）、受信機は先ず画像データの受信を行い（Ｓ１３）、その圧縮復号化された画像データを復号化して（Ｓ１４）画像メモリへ１３と格納していく。全ての画像データの受信が終了したか否かを監視し（Ｓ１５）、もし総ての画像データが受信完了すれば、印字処理へと入り（Ｓ１６）、印字終了と共に受信処理終了となる。
【００５３】
図６及び図７のフローチャートを用いて、ファクシミリの送信処理の流れを説明する。
【００５４】
先ず送信処理が始まると、これから行う処理は回覧送信処理かどうかを確認する（Ｓ２１）。もし回覧送信でなければ、通常送信として認識し、図７のステップＳ２６へと進む。もし回覧送信であれば、パラメータメモリに再送要求信号があるかどうかを調べる（Ｓ２２）。もし検出されれば、回覧元へ元の画像データを要求するため、ポーリング処理を行うものとし、図７のステップＳ２８へと進む。再送要求信号が無いようであれば、回覧中の回覧送信処理を開始し（Ｓ２３）、先ずパラメータメモリにある累積エラーライン数の値を送信する（Ｓ２４）。それに続いて画像データの送信を行い（Ｓ２５）、総ての画像データを送信した時点で送信処理を終了する。
【００５５】
ステップＳ２１において、通常送信処理と判断された場合（Ｓ２６）、画像データを送信し（Ｓ２７）、総ての画像データが送信し終えたらその時点で送信処理は終了する。
【００５６】
ステップＳ２２において、再要求信号が検出されればポーリング送信を開始する（Ｓ２８）。この場合、先ず受信側（回覧元）にポーリング要求信号を送信し（Ｓ２９）、受信側から反応を待つ。受信側から画像データが送信されてきたら、それを受信開始する（Ｓ３０）。画像データは圧縮符号化されているので、復号化を実行し、画像メモリにそれを格納する。制御部は、復号化に際して画像データのエラーチェックを行い、もし復号化に失敗すれば、失敗した分の行数をエラーラインとしてパラメータメモリの累積エラーライン数にカウントする（Ｓ３１）。そして総ての画像データが受信完了したかどうかを確認して（Ｓ３２）まだ残りがあるようであればＳ３０へと戻る。総ての画像データを受信し終わったら、パラメータメモリにある累積エラーライン数の値と規定値とを比べ（Ｓ３３）、累積エラーライン数の値が小さければ正常な画像と判断し印字処理を開始する（Ｓ３４）。印字を終了した時点で送信処理は終了となる。もし累積エラーライン数の値が大きければ、画像が劣化したものと判断し、再度ポーリング受信をするためにパラメータメモリに再送要求信号を記憶する（Ｓ３５）。それが終われば送信処理は終了となり、先ほど回覧元から受信した回覧用の画像データを回覧ルートの次の回覧先に送信する。次の回覧先に送信する方法については図２において説明しており省略する
【００５７】
以上のように、本発明は、エラーライン数を通信エラーの基準と考えることで、それぞれのファクシミリ装置及び回覧元のファクシミリ装置は画像データの劣化の度合いを把握することができ、回覧中の画像データの質を維持することができるとともに、回覧元のファクシミリ装置はエラー通知を受け取ることで、回覧中の画像の質の維持に対処することが可能となる。
【００５８】
また、本発明は、回覧中に画像データが劣化した際に、自動的に劣化のない画像データを入手することができ、常に質のよい画像データを入手することが可能となる。
【００５９】
さらに、本発明は、ポーリングにより、回覧元に画像データの送信要求を行うことにより、回覧元は、特に回覧メンバーへの画像データを送信する際において、特別な処理動作を行う必要がなく容易に対応することが可能となる。
【００６０】
そして、本発明は、回覧中に画像データが劣化した際に、元の画像データを直接受信し、続けて回覧を再開することで、回覧ルート上の総てのファクシミリ装置に対して、安定して質のよい画像を回覧することができる。
【００６１】
【発明の効果】
以上のように、本発明によれば、劣化の少ない画像の回覧を最後まで可能とすることができる回覧ファクシミリシステムを構成するファクシミリ装置を提供することができる。
【図面の簡単な説明】
【図１】本発明の実施の形態似かかるファクシミリ装置１の電気的構成を示すブロック図。
【図２】本発明のファクシミリ機能を説明するためのシステム実現図。
【図３】回覧ファクシミリ及びポーリングの送信手順を説明するための図。
【図４】受信データの流れを説明するための図。
【図５】本発明のファクシミリ装置の受信の流れを示すフローチャート。
【図６】本発明のファクシミリ装置の送信の流れを示すフローチャート。
【図７】本発明のファクシミリ装置の送信の流れを示すフローチャート。
【符号の説明】
１  ファクシミリ装置
１０  スキャナ
１１  印字部
１２  操作表示部
１３  画像メモリ
１４  パラメータメモリ
１４１  回覧情報記憶部
１４２  累積エラーライン数記憶部
１４３  規定値記憶部
１５  符号化複合化部
１６  ＦＡＸモデム
１７  網制御装置
１８  制御部
１８１  エラーライン検出部
１８２  エラーライン数カウント部
１８３  エラーライン数比較部
１８４  エラー通知部
１９  システムメモリ
２０  システムバス
【図１】
0003560928.tif 000002
【図２】
0003560928.tif 000003
【図３】
0003560928.tif 000004
【図４】
0003560928.tif 000005
【図５】
0003560928.tif 000006
【図６】
0003560928.tif 000007
【図７】
0003560928.tif 000008